(57)【要約】      （修正有）【課題】腕に巻いて使用することで、磁力と遠赤外線効果による高い健康増進効果を図ることができ、かつ、高強度な健康腕バンドを提供する。【解決手段】腕に巻いて使用される健康腕バンド１０であって、永久磁石を含むバンドピース１１と、皮膚に接触する部位に配設された、少なくとも炭素繊維強化炭素複合材料を有してなるカーボン部とを備え、カーボン部はＤＬＣ（ダイヤモンド・ライク・カーボン）処理による皮膜層を有してなる。【選択図】図１
2017158831.tif 000002
【特許請求の範囲】
【請求項１】
腕に巻いて使用される健康腕バンドであって、
永久磁石と、皮膚に接触する部位に配設された、少なくとも炭素繊維強化炭素複合材料を有してなるカーボン部とを備えたことを特徴とする健康腕バンド。
【請求項２】
請求項１において、
前記カーボン部は、ＤＬＣ処理して形成された皮膜層を有してなる健康腕バンド。
【請求項３】
請求項１または２において、
複数のバンドピースを連結してなり、
前記バンドピースの少なくとも１つには前記カーボン部が形成され、前記バンドピースの少なくとも１つには前記永久磁石が形成されている健康腕バンド。
【発明の詳細な説明】
【技術分野】
【０００１】
本発明は、腕に巻いて使用することで、磁力と遠赤外線効果により健康の増進を図れる健康腕バンドに関する。
【背景技術】
【０００２】
従来には、磁石と炭素材料を配設された装身具が提案されている（たとえば、特許文献１）。これらは、磁石の磁力（磁気）による身体のコリの解消や血流の促進効果、炭素材料の遠赤外線効果による加温や血流の促進効果等による健康の増進を図ることを目的としている。
【０００３】
炭素材料は、遠赤外線を放射することが知られている。遠赤外線は、遠赤外線を吸収した物体の温度を上昇させる効果がある。人体が遠赤外線を吸収すると該当部位を温めて血流を促進させるため、遠赤外線効果を利用して健康の増進を図ることができる。
【先行技術文献】
【特許文献】
【０００４】
【特許文献１】特許第４６７３８０６号公報
【発明の概要】
【発明が解決しようとする課題】
【０００５】
しかしながら、腕時計やリストバンド等の腕に巻いて使用する装飾品に関しては、現状では金属製や革製、布製のものがほとんどであり、炭素材料と永久磁石の両方を含んだものは提案されていない。
【０００６】
また、特許文献１には、使用する炭素材料について具体的な情報が開示されていない。腕時計やリストバンド等の腕に巻いて使用する装飾品は、日常生活やスポーツ時において、人や物に当たり、強い衝撃が加わる可能性がある。また、非装着時においても、机上等の保管場所から落下し、強い衝撃が加わる可能性がある。このような場合、強度の低い炭素材料（例えば、木炭からなる炭素粉を押出成形したもの）では、割れや欠けが生じる可能性がある。
【０００７】
本発明は、上記の点を鑑みて提案されたものであり、その目的は、腕に巻いて使用することで、磁力（磁気）と遠赤外線効果による高い健康増進効果を図ることができ、かつ、高強度な健康腕バンドを提供することにある。
【課題を解決するための手段】
【０００８】
上記目的を達成するために、請求項１に記載の健康腕バンドは、腕に巻いて使用される健康腕バンドであって、永久磁石と、皮膚に接触する部位に配設された、少なくとも炭素繊維強化炭素複合材料を有してなるカーボン部とを備えたことを特徴とする。
【０００９】
請求項２に記載の健康腕バンドは、カーボン部は、ＤＬＣ処理して形成された皮膜層を有してなる。
【００１０】
請求項３に記載の健康腕バンドは、複数のバンドピースを連結してなり、バンドピースの少なくとも１つにはカーボン部が形成され、バンドピースの少なくとも１つには永久磁石が形成されている。
【発明の効果】
【００１１】
請求項１に記載の健康腕バンドによれば、上述の構成となっているため、永久磁石から磁力が、カーボン部から遠赤外線が人体へ放射される。永久磁石からの磁力により、身体のコリの解消や血流の促進効果等を図ることができる。また、カーボン部からの遠赤外線効果により、身体を加温し、さらなる血流の促進効果等の健康増進効果を図ることができる。
また、炭素繊維強化炭素複合材料により、健康腕バンドの強度を高めることができる。さらに高強度であるため、健康腕バンドの厚みを薄くすることができるので、軽量化を図ることができる。
【００１２】
請求項２に記載の健康腕バンドによれば、上述の構成になっているため、健康腕バンドに強い衝撃が加わった場合でも、ＤＬＣ（ダイヤモンド・ライク・カーボン）処理による皮膜層が永久磁石を保護し、永久磁石に割れや欠けが発生しにくい。また、ＤＬＣ処理による表面処理でファッション性のある外観にすることができる。
【００１３】
請求項３に記載の健康腕バンドによれば、上述の構成になっているため、一部に永久磁石、カーボン部を設けることができる。また、色や形、模様の異なるバンドピースを連結することで、健康腕バンドの外観を変えることができる。
【図面の簡単な説明】
【００１４】
【図１】本発明の一実施形態に係る健康腕バンドの平面図である。
【図２】本発明の一実施形態に係る健康腕バンドにおけるバンドピースの皮膚に接触する面の斜視図である。
【図３】他の実施形態に係る健康腕バンドの平面図である。
【図４】（ａ）は他の実施形態に係る健康腕バンドにおけるバンドピースの皮膚に接触する面の斜視図、（ｂ）は断面図である。
【発明を実施するための形態】
【００１５】
以下に、本発明の実施の形態に係る健康腕バンドについて、添付図面を参照して説明する。なお、本実施形態では、健康腕バンドの例として、腕時計を挙げる。
【００１６】
以下の２種の実施形態に係る健康腕バンド１０、２０は、永久磁石１１ａ、２１ａと、皮膚に接触する部位に配設された、少なくとも炭素繊維強化炭素複合材料（以下、ＣＣコンポジットという）を有してなるカーボン部Ａとを備えている（図１〜図４参照）。
以下、個別に説明する。
【００１７】
図１に示す健康腕バンド１０は、永久磁石１１ａを含むバンドピース１１、ＣＣコンポジットからなる時計ケース部１５、バンドピース１２を備えている。時計ケース部１５は時計部１６を備えている。
【００１８】
また、バンドピース１１の表面には、ＤＬＣ処理による皮膜層１１Ａが形成してある。このＤＬＣ処理によれば、表面に種々の高級感のある配色処理をすることが可能となり、この表面処理によって配色することで、ファッション性を高めることができる。特に、ＤＬＣ処理の時間が短い場合には、下地が透ける半透明の皮膜を形成でき、下地の色と組み合わさって、高級感があり美麗な種々の色（たとえば虹色）を表出することができる。
【００１９】
健康腕バンド１０は、時計ケース部１５と複数のバンドピース１１、１２とを連結具（図示せず）を用いて帯状に連結して構成されている。
【００２０】
以上のように本実施形態では、健康腕バンド１０はカーボン部Ａとして、皮膜層１１Ａ、バンドピース１２、時計ケース部１５とを有している。
【００２１】
永久磁石１１ａとしては、２０００ガウス以下のものが医療用、健康増進用として望ましく、好適に使用できる。
【００２２】
本実施形態では、２種類のバンドピース１１、１２が用いられているが、さらに複数種類のバンドピースを用いてもよい。
【００２３】
バンドピース１１は永久磁石１１ａの表面にＤＬＣによる皮膜層１１Ａを形成した構成であるが、皮膜層１１Ａを形成しない構成でもよい。バンドピース１１は永久磁石１１ａにより成形されているが、ＣＣコンポジットで成形し、後述する他の実施形態のバンドピース２１（図４参照）のように永久磁石２１ａ（図４参照）を配設してもよく、また、一部のバンドピース１１にのみ永久磁石１１ａを配設する構成でもよい。健康腕バンド１０のいずれかの部位に永久磁石１１ａが配設されている構成であればよい。
【００２４】
バンドピース１２はＣＣコンポジットで成形されているが、他の炭素材料で成形してもよく、後述する他の実施形態のバンドピース２１（図４参照）のように永久磁石２１ａ（図４参照）を配設してもよい。健康腕バンド１０のいずれかの部位に、ＣＣコンポジットからなるカーボン部Ａを備える構成であればよいが、強い衝撃が加わることが予測される部位は、ＣＣコンポジットで成形することが望ましい。また、バンドピース１２はバンドピース１１のように永久磁石１１ａにより成形してもよく、ＤＬＣ処理による皮膜層１１Ａを形成してもよい。
【００２５】
永久磁石１１ａとしては、２０００ガウス以下のものが望ましいが、これに限定されることはない。また、時計ケース部１５はＣＣコンポジットで成形されているが、他の炭素材料でもよく、炭素材料以外で成形してもよい。また、バンドピース１１、１２に、熱伝導性が高い等方性高密度炭素材や超高熱伝導グラファイトを添設してもよい。
【００２６】
腕時計は、強い磁力を受けると、腕時計内部の機構が磁力の影響を受け、腕時計の針が進んだり遅れたりするなど、時間のずれが生じる可能性がある。健康腕バンド１０は永久磁石１１ａを備えているので、磁力により時計部１６に時間のずれが生じないようにする必要がある。
【００２７】
そのため、時計部１６を耐磁性能のある耐磁時計にする、時計ケース部１５が磁気シールドを備える構成にする、永久磁石１１ａを時計部１６から離れた部位にのみ配設する、永久磁石１１ａを時計部１６が耐えることが可能な弱い磁力のものにする、また、永久磁石１１ａを着脱が可能な構成にする等を行い、永久磁石１１ａの磁力により時計部１６に時間のずれが生じることがないように、健康腕バンド１０を構成する。
【００２８】
ＣＣコンポジットは、炭素を炭素繊維で強化したもので、たとえば繊維強化複合材料である炭素繊維強化プラスチックを熱処理し、母材のプラスチックを炭化させて作ることができる。
【００２９】
このＣＣコンポジットは、炭素繊維強化プラスチック、ガラス繊維強化プラスチックなどに比べて、軽量で高強度などのすぐれた特性がある。高強度なので、他の炭素材料によるものと比べて、時計ケース部１５、バンドピース１２の厚みを薄くすることができる。また、ＣＣコンポジットは導電性があるため、身体の外部への静電気除去対策としても利用できる。
【００３０】
また、ＣＣコンポジットは、等方性高密度炭素材と比較して、強度が高く、たわみにくく、磨耗しにくい。強度が高いため、スポーツ時において、健康腕バンド１０に強い衝撃が加わった場合や、非装着時において、健康腕バンド１０が机上等から落下した場合でも、時計ケース部１５やバンドピース１２に割れや欠けが発生しにくい。また、ＣＣコンポジットは気圧、水圧の変化にも強いため、時計ケース部１５をＣＣコンポジットで形成すればひずみが発生しにくくなり、ひずみによる時計の狂いも生じにくくなる。よって、潜水用や登山用、飛行用にも利用できる。
【００３１】
また、ＣＣコンポジットはセピオライトなどの鉱石を含んだものに比べ、高い熱伝導性を有しているので、人体の体温を伝えるのに適しており、生体親和性もよい。
【００３２】
ＣＣコンポジットなどの炭素材料は、上述したように熱伝導率が高く、外部の熱や光などの形で吸収したエネルギーにより多量の遠赤外線を放射する素材である。また、炭素材料は腐食のおそれもなく、人体を形成する有機物の構成物質と同じであるため、生体親和性がよく、人体への安全性も高く、金属アレルギーの心配もない。
【００３３】
人体は、身体組成の６０％は水分、２５％以上は炭素であり、３６．５℃の平均体温で常に１０ミクロンの遠赤外線を放射しているので、人体の皮膚に炭素材料が触れると、人体が遠赤外線を吸収して加温される。すなわち、炭素材料と人との間で同じ波長の遠赤外線を放射し合って炭素材料は約３６．５℃を維持する一方で身体の中では水分子が激しく衝突して、この振動が運動エネルギーとなって、熱に変換され身体が加温される。
【００３４】
その結果、遠赤外線が皮下組織や血管などに作用して血流が改善されるが、本発明者によれば、末梢、中枢の血流に１５％の上昇効果があることが確認されている。また、これらの炭素材料は、α波を発生して、身体を癒し健康増進に寄与する。
【００３５】
他の実施形態である健康腕バンド２０について、添付図面を参照して説明する。なお、本実施形態では、健康腕バンドの例として、ブレスレットを挙げる。
【００３６】
図３に示すように、本健康腕バンド２０は、ＣＣコンポジットにより成形された複数のバンドピース２１を備えており、バンドピース２１は皮膚に接触する部位に永久磁石２１ａが配設されている。
【００３７】
永久磁石２１ａの表面には、ＤＬＣ処理による皮膜層２１Ａが形成されている。
【００３８】
健康腕バンド２０は、複数のバンドピース２１を連結具（図示せず）を用いて帯状に連結して構成している。
【００３９】
以上のように本実施形態では、健康腕バンド２０は、カーボン部Ａとして、バンドピース２１、皮膜層２１Ａを有している。
【００４０】
このバンドピース２１は、厚さが５ｍｍであり、皮膚に接触する面には、図４（ａ）に示すように、ＤＬＣ処理による皮膜層２１Ａを有する永久磁石２１ａが配設されている。永久磁石２１ａは、図４（ｂ）に示すように、バンドピース２１の表面から２〜３ｍｍの深さに埋め込む形で配設されており、バンドピース２１の表面から永久磁石２１ａの一部が突出して突起部２１ｂが形成されている。
【００４１】
なお、一部のバンドピース２１をＣＣコンポジット以外の材料で成形してもよい。また、ＤＬＣ処理していない永久磁石をバンドピース２１に配設した後に、バンドピース２１の表面全体にＤＬＣ処理による皮膜層２１Ａを形成してもよく、健康腕バンド２０がＤＬＣ処理による皮膜層２１Ａを形成していない構成でもよい。また、永久磁石２１ａは一部のバンドピース２１にのみ配設する構成でもよい。また、永久磁石２１ａを配設しても、突起部２１ｂが形成されない構成でもよい。
【００４２】
健康腕バンド２０は、永久磁石２１ａからの磁力により、身体のコリの解消や血流の促進効果等を図ることができる。また、カーボン部Ａからの遠赤外線効果による身体の加温や、さらなる血流の促進効果等の健康増進効果を図ることができる。さらに、突起部２１ｂが皮膚をツボ刺激し、さらなる健康増進効果を図ることができる。
【００４３】
以上の２種の実施形態の健康腕バンド１０、２０はいずれも、バンドピース１１、１２、２１を連結したものであるため、永久磁石１１ａ、２１ａとカーボン部Ａを選択された個別のあるいは共通のバンドピース１１、１２、２１に形成することができる。そのため、永久磁石１１ａ、２１ａとカーボン部Ａとを所望の量で、所望の部位に配設することができる。バンドピース１１、１２、２１を種々組み合わせることで、永久磁石１１ａ、２１ａによる作用とカーボン部Ａによる作用をバランスよく組み合わせることができ、人それぞれの要望に合ったオーダーメイドの健康腕バンドを形成することができる。
【００４４】
本発明は、腕時計やブレスレット、リストバンドのように手首に巻いて使用するものだけではなく、上腕に巻いて使用するアームバンドや肘のサポーター等、腕に巻いて使用するものであれば実施形態は限定されない。また、バンドピースを用いるものには限られず、ゴム等の弾性材料よりなるリストバンド等の一部に、永久磁石と、皮膚に接触する部位に配設された、少なくともＣＣコンポジットを有してなるカーボン部とを配設したものでもよい。
【符号の説明】
【００４５】
１０、２０        健康腕バンド
Ａ                カーボン部
１１、１２、２１  バンドピース
１１Ａ、２１Ａ    皮膜層
１１ａ、２１ａ    永久磁石
１５              時計ケース部
１６              時計部
２１ｂ            突起部
【図１】
2017158831.tif 000003
【図２】
2017158831.tif 000004
【図３】
2017158831.tif 000005
【図４】
2017158831.tif 000006